(57)【特許請求の範囲】
【請求項１】
柱及び大梁、小梁を躯体構造とする建築物の平行に配置された大梁の間に嵌め込まれて配置される複数枚のスラブパネルを前記大梁の上面よりも低い小梁の上面に載置して支持すると共に、前記スラブパネルの前記大梁との取り合い部の一方は該スラブパネルの長辺小口面を前記大梁の側面に直接当接させ且つ、該スラブパネルを密接させて載置し、次いで、反対側の一方の該スラブパネルの長辺小口面に該スラブパネルの水平方向の位置を拘束する板材或いはアングル材の側面が当接するように該板材或いはアングル材を前記大梁に固定してなることを特徴とするスラブパネルの施工方法。
【請求項２】
柱及び大梁、小梁を躯体構造とする建築物の平行に配置された大梁の間に嵌め込まれて配置される複数枚のスラブパネルを前記大梁の上面よりも低い小梁の上面に載置して支持すると共に、前記スラブパネルの前記大梁との取り合い部の一方は該スラブパネルの長辺小口面を前記大梁の側面に直接当接させ且つ、該スラブパネルを密接させて載置し、次いで、該スラブパネル及び大梁の上部に該スラブパネルの水平方向の位置を拘束する面材を配置し、該面材を前記スラブパネル及び前記大梁に固定してなることを特徴とするスラブパネルの施工方法。
【請求項３】
柱及び大梁、小梁を躯体構造とする建築物の平行に配置された大梁の間に嵌め込まれて配置される複数枚のスラブパネルを前記大梁の側面に固定された受け材の上面に載置して支持すると共に、前記スラブパネルの前記大梁との取り合い部の一方は該スラブパネルの短辺小口面を前記大梁の側面に直接当接させ且つ、該スラブパネルを密接させて載置し、次いで、反対側の一方の該スラブパネルの短辺小口面に該スラブパネルの水平方向の位置を拘束する板材或いはアングル材の側面が当接するように該板材或いはアングル材を前記大梁に固定してなることを特徴とするスラブパネルの施工方法。
【請求項４】
柱及び大梁、小梁を躯体構造とする建築物の平行に配置された大梁の間に嵌め込まれて配置される複数枚のスラブパネルを前記大梁の側面に固定された受け材の上面に載置して支持すると共に、前記スラブパネルの前記大梁との取り合い部の一方は該スラブパネルの短辺小口面を前記大梁の側面に直接当接させ且つ、該スラブパネルを密接させて載置し、次いで、該スラブパネル及び大梁の上部に該スラブパネルの水平方向の位置を拘束する面材を配置し、該面材を前記スラブパネル及び前記大梁に固定してなることを特徴とするスラブパネルの施工方法。
【発明の詳細な説明】
【０００１】
【発明の属する技術分野】
本発明は、建築物における床や屋根等のスラブ面を構成するスラブパネルの施工方法に関するものである。
【０００２】
【従来の技術】
従来のスラブ構造として、例えば、特開平4-52349 号公報に開示された技術は、図10（ａ），（ｂ）に示すように、大梁61、小梁62により木造軸組63が構成され、小梁62に支持アングル64が固定されている。そして、ＡＬＣパネル65の下面両端部を支持アングル64により支持させ、木造軸組63の内周の４面に対峙するＡＬＣパネル65の小口面を該４面に直接的にまたはモルタル等の充填材66を介して間接的に当接させたものである。
【０００３】
一方、ＡＬＣパネルは、JIS A5416 に記載されているように幅方向で±２mm、長さ方向で±５mmの寸法誤差をもって製造されるのが一般であるため、木造軸組63の内周の矩形状空間に複数枚のＡＬＣパネル65を嵌め込んだ場合に木造軸組63とＡＬＣパネル65との間には予測できない寸法の隙間が生じる。
【０００４】
このため、ＡＬＣパネル65の長手方向端部の小口面65ａと小梁62と支持アングル64とで形成された空間にモルタル等の充填材66を充填して、木造軸組63の内周に嵌合されているＡＬＣパネル65の各小口面を該木造軸組63の内周に確実に当接させることで建築物に加わる地震力や風圧力等の外力によって発生する水平面内剪断力に対して木造軸組63だけでなく該木造軸組63の内周に嵌合されているＡＬＣパネル65にも各小口面を当接させたことにより有効に伝達して負担させ、該ＡＬＣパネル65の保有する面内剪断耐力を有効に機能させ得るようになっている。
【０００５】
【発明が解決しようとする課題】
しかしながら、前述の公知例では、ＡＬＣパネル65の寸法誤差を補うためにモルタル等の充填材66を使用する構成であるためモルタルが下方に流出するのを防止するためにモルタル流出止め用の部材を別途設けなくてはならないという問題があった。
【０００６】
また、モルタルを充填する作業は手間がかかり、空気の巻き込み等の影響でモルタルが密に充填出来なかった場合には安定した面内剪断耐力の確保が困難となり、モルタルの充填状況を外観で確認できないため、モルタルの充填されない部分が発生することを防止する管理が困難であった。
【０００７】
また、モルタルを充填した後、ＡＬＣパネル65の施工中に作業者が該ＡＬＣパネル65上に乗ると、該ＡＬＣパネル65に撓みが発生して充填したモルタルが破断して十分な面内剪断耐力が得られなくなる虞もある。
【０００８】
本発明は前記課題を解決するものであり、その目的とするところは、モルタルを使用することなく乾式工法によってスラブパネルの水平方向の位置を拘束出来、該スラブパネルの寸法誤差を調整してスラブパネルが保有する面内剪断耐力を安定かつ有効に機能させることが出来、しかも施工が容易なスラブパネルの施工方法を提供せんとするものである。
【０００９】
【課題を解決するための手段】
前記目的を達成するための本発明に係るスラブパネルの施工方法は、次の通りである。
【００１０】
（１）柱及び大梁、小梁を躯体構造とする建築物の平行に配置された大梁の間に嵌め込まれて配置される複数枚のスラブパネルを前記大梁の上面よりも低い小梁の上面に載置して支持すると共に、前記スラブパネルの前記大梁との取り合い部の一方は該スラブパネルの長辺小口面を前記大梁の側面に直接当接させ且つ、該スラブパネルを密接させて載置し、次いで、反対側の一方の該スラブパネルの長辺小口面に該スラブパネルの水平方向の位置を拘束する板材或いはアングル材の側面が当接するように該板材或いはアングル材を前記大梁に固定してなることを特徴とするスラブパネルの施工方法。
【００１１】
（２）柱及び大梁、小梁を躯体構造とする建築物の平行に配置された大梁の間に嵌め込まれて配置される複数枚のスラブパネルを前記大梁の上面よりも低い小梁の上面に載置して支持すると共に、前記スラブパネルの前記大梁との取り合い部の一方は該スラブパネルの長辺小口面を前記大梁の側面に直接当接させ且つ、該スラブパネルを密接させて載置し、次いで、該スラブパネル及び大梁の上部に該スラブパネルの水平方向の位置を拘束する面材を配置し、該面材を前記スラブパネル及び前記大梁に固定してなることを特徴とするスラブパネルの施工方法。
【００１２】
（３）柱及び大梁、小梁を躯体構造とする建築物の平行に配置された大梁の間に嵌め込まれて配置される複数枚のスラブパネルを前記大梁の側面に固定された受け材の上面に載置して支持すると共に、前記スラブパネルの前記大梁との取り合い部の一方は該スラブパネルの短辺小口面を前記大梁の側面に直接当接させ且つ、該スラブパネルを密接させて載置し、次いで、反対側の一方の該スラブパネルの短辺小口面に該スラブパネルの水平方向の位置を拘束する板材或いはアングル材の側面が当接するように該板材或いはアングル材を前記大梁に固定してなることを特徴とするスラブパネルの施工方法。
【００１３】
（４）柱及び大梁、小梁を躯体構造とする建築物の平行に配置された大梁の間に嵌め込まれて配置される複数枚のスラブパネルを前記大梁の側面に固定された受け材の上面に載置して支持すると共に、前記スラブパネルの前記大梁との取り合い部の一方は該スラブパネルの短辺小口面を前記大梁の側面に直接当接させ且つ、該スラブパネルを密接させて載置し、次いで、該スラブパネル及び大梁の上部に該スラブパネルの水平方向の位置を拘束する面材を配置し、該面材を前記スラブパネル及び前記大梁に固定してなることを特徴とするスラブパネルの施工方法。
【００１４】
上記（１）、（３）の構成によれば、大梁に固定した板材或いはアングル材によりスラブパネルの水平方向の位置を拘束してスラブパネル相互の目地ずれを防止すると共にスラブパネルの寸法誤差を調整出来、しかも施工が容易である。また、該スラブパネルが保有する面内剪断耐力を安定かつ有効に機能させることが出来、これにより面内剪断耐力及び面内剪断剛性に優れたスラブ構造を得ることが出来る。
【００１５】
また、板材或いはアングル材は構造が簡単で安価な拘束部材として構成出来る。
【００１６】
上記（２）、（４）の構成によれば、面材が前記梁及び前記スラブパネル上に載置され、且つ、前記梁及び前記スラブパネルに夫々固定したことによりスラブパネルの水平方向の位置を拘束してスラブパネル相互の目地ずれを防止すると共にスラブパネルの寸法誤差を調整出来、しかも施工が容易である。また、該スラブパネルが保有する面内剪断耐力を安定かつ有効に機能させることが出来、これにより面内剪断耐力及び面内剪断剛性に優れたスラブ構造を得ることが出来る。
【００１７】
【発明の実施の形態】
図により本発明に係るスラブパネルの施工方法の一例として木造建築物の床や屋根に適用されたスラブ構造で一実施形態を具体的に説明する。図１は本発明に係る第１実施形態においてスラブパネルを支持部材に固定すると共に拘束部材をスラブパネルに当接させて梁に固定した様子を示す斜視図、図２は図１の部分拡大図、図３は第１実施形態の各部材の配置構成を示す断面説明図、図４は図３の左右方向から見た断面説明図、図５は本発明に係る第２実施形態の各部材の配置構成を示す断面説明図、図６は本発明に係る第３実施形態の各部材の配置構成を示す断面説明図、図７は本発明に係る第４実施形態の構成を示す斜視図、図８は第４実施形態の各部材の配置構成を示す断面説明図、図９は本発明に係る第５実施形態の各部材の配置構成を示す断面説明図である。尚、以下に示す各部材の寸法及び材質等は具体的実施形態の一例を示すものであり、これ等に限定されるものではない。
【００１８】
先ず、図１〜図４を用いて本発明に係るスラブパネルの施工方法の第１実施形態について説明する。図に示すように、柱１及び大梁、小梁（横架材）２を躯体構造とする木造軸組構造の建築物における床や屋根を構成するスラブ構造Ａは、建築物の平行に配置された大梁２ａの間に嵌め込まれて配置される複数枚のスラブパネルとなるＡＬＣ（軽量気泡コンクリート）パネル３を該大梁２ａに該大梁２ａと直交する方向に連結された支持部材となる小梁２ｂ上に載置して支持すると共に該ＡＬＣパネル３の水平方向の位置を拘束する板材８を大梁２ａに設けたものである。
【００１９】
梁２は、例えば、幅１２０mm、高さ寸法２４０mmを有する木製で構成された大梁２ａが２ｍの間隔を有して複数本平行に配置され、更に大梁２ａと直交する方向に２ｍの間隔で幅１２０mm、高さ寸法１６０mmを有する複数本の木製の小梁２ｂが大梁２ａに固定されている。
【００２０】
そして、図３に示すように、小梁２ｂの上面の高さレベルは大梁２ａの上面の高さレベルよりも８０mm低い位置に配置されており、ＡＬＣパネル３の上面３ｃの高さレベルは大梁２ａの上面の高さレベルよりも２０mm高く設定されている。
【００２１】
小梁２ｂの上面には該小梁２ｂと直交する方向に４枚のＡＬＣパネル３が載置されると共に大梁２ａ，２ａ間に嵌め込まれて配置され、ビス４をＡＬＣパネル３の上面３ｃ側から小梁２ｂに対して打ち込んでＡＬＣパネル３が小梁２ｂに固定されている。
【００２２】
また、ＡＬＣパネル３の長手方向の寸法は小梁２ｂのピッチに略等しい長さを有しており、例えば、ＡＬＣパネル３が幅約３００〜６００mm、長さ２０００mm、厚さ１００mmを有して構成され、該ＡＬＣパネル３の長手方向の両端部が小梁２ｂの上面上に載置され、例えば、外径６mm、長さ１４０mmのビス４がＡＬＣパネル３の長手方向の両端部の上面３ｃ側から該ＡＬＣパネル３の長さ方向の両端部の幅方向の両側に計４本小梁２ｂに対して打ち込まれてＡＬＣパネル３が小梁２ｂに固定されている。
【００２３】
この時、ビス４は、図３及び図４に示すように、ＡＬＣパネル３の内部に該ＡＬＣパネル３の長手方向端部よりも１５〜３０mm程度内部に埋設された補強筋３ｂよりもパネル内側位置に配置され、該ビス４の頭部をＡＬＣパネル３の上面３ｃよりも内部に５〜１０mm程度沈めてＡＬＣパネル３の長手方向端部よりも４０〜５０mm程度内部に打ち込まれる。また、ビス４の打ち込み角度は小梁２ｂの中心に向かってやや斜めに打ち込まれ、ビス４の小梁２ｂに対する縁あき距離を確保している。
【００２４】
また、図１及び図２に示すように、隣設されるＡＬＣパネル３の長辺の目地部には目地ずれ防止手段となるコッター５が配置されている。コッター５はＡＬＣパネル３の長辺目地部に該ＡＬＣパネル３の対向する長辺の一部に両ＡＬＣパネル３に亘って跨がって形成された溝部となる直径２０〜１００mm、深さ２０〜８０mmの円柱状の穴３ｄに、係止部材となる直径が該穴３ｄの大きさよりもやや大きく長さがやや短い中空若しくは中実の円柱状部材を打ち込むことによって形成されている。尚、穴３ｄにモルタルや接着剤等を充填することでも良い。
【００２５】
このコッター５によりＡＬＣパネル３に加わる面内剪断力によりＡＬＣパネル３の長辺目地にずれが生じるのを防止しており、これにより高い面内剪断耐力及び面内剪断剛性を確保することが出来るものである。このように、長辺目地のずれが拘束された複数枚のＡＬＣパネル３は面内剪断力を受けた際に長辺方向の目地が開こうとする。本発明の拘束部材はこの目地の開きを防止するものである。
【００２６】
尚、本実施形態ではＡＬＣパネル３の厚さ寸法は小梁２ｂの高さ寸法よりも小さい寸法で構成されている。
【００２７】
大梁２ａの上面には、例えば、幅１２０mm、厚さ２０mm、長さはＡＬＣパネル３の長さよりもやや短く、木粉を樹脂で固めて構成されたパーティクルボード製の板材８が該板材８の当接面となる側面８ａがＡＬＣパネル３の側面となる長辺小口面３ｅに当接して該ＡＬＣパネル３の水平方向の位置を拘束し得るようにして外径８mm、長さ６０mmのビス９を板材８の上面８ｂ側から大梁２ａに対して打ち込むことで固定されている。
【００２８】
本実施形態では拘束部材となる板材８の長手方向の長さをＡＬＣパネル３の長手方向の長さよりもやや短く設定しているため、ＡＬＣパネル３の長辺小口面３ｅの板材８が当接しない部分と大梁２ａとの間にバール、ジャッキ等を差し込み、４枚のＡＬＣパネル３を密接させた状態で板材８をビス９等により直ちに大梁２ａに固定することが出来、これによりＡＬＣパネル３の拘束効果を向上させることが出来る。
【００２９】
尚、一本の拘束部材となる板材８は複数のＡＬＣパネル３に跨がって当接しないように設定してあり、これによりＡＬＣパネル３の寸法誤差に対応し易くなっている。また、板材８と大梁２ａの固定には接着剤を用いる方法も好ましい。
【００３０】
ＡＬＣパネル３の大梁２ａとの取り合い部は、一方は該ＡＬＣパネル３の小口面３ｅが大梁２ａの側面に直接当接しており、反対側の一方はＡＬＣパネル３の小口面３ｅが大梁２ａに固定された板材８の側面８ａに当接しており、対向する２本の大梁２ａ間に配置された４枚のＡＬＣパネル３相互間の小口面に各々当接している。これによりＡＬＣパネル３の水平方向の変位を拘束している。
【００３１】
尚、10は板材８の下面とＡＬＣパネル３の小口面３ｅと大梁２ａの側面と小梁２ｂの上面とにより形成されたクリアランスである。また、特に遮音性等が要求される時は該クリアランス10にロックウール、発泡ウレタン樹脂等の寸法誤差を容易に吸収出来、受け材がなくても充填可能な材料を充填するのが好ましい。
【００３２】
ＡＬＣパネル３の板材８に当接する側では大梁２ａとＡＬＣパネル３との間に形成されるクリアランス10の間隔は設計上１０mm程度に設定されており、このクリアランス10によりＡＬＣパネル３、大梁２ａの寸法誤差や施工誤差を調整することが出来るようになっている。
【００３３】
ビス９は頭部が逆三角形状であり、頭部の上面が木粉を樹脂で固めて構成されたパーティクルボードからなる拘束部材８の表面と略面一になるように１２５mm程度のピッチで一列に打ち込まれている。
【００３４】
尚、本実施形態では、ＡＬＣパネル３の長手方向の端部は小梁２ｂ上で突き合わせ状態で配置されているがＡＬＣパネル３の長手方向の寸法誤差を吸収するために３〜５列毎程度にクリアランスを見込んでおくと施工が容易に出来る。
【００３５】
また、本実施形態では、図４に示すように、短辺目地を挟んだ両側のＡＬＣパネル３は各々その長手方向のごく端部に補強金３ｂを有し、該補強筋３ｂの内側で支持部材である小梁２ｂにビス４によりビス止めされているため、３〜５列毎程度にクリアランスを設けても面内剪断力に対する耐力、剛性の低下の程度は小さい。
【００３６】
目地ずれ防止手段となるコッター５の施工順序としては、先ず、４枚のＡＬＣパネル３を支持部材となる小梁２ｂ上に載置した後、適宜ジャッキ等を用いてＡＬＣパネル３を密接させ、ビス９により板材８を大梁２ａに固定してＡＬＣパネル３の位置決めを行い、続いてＡＬＣパネル３をビス４により固定した後、コッター５の施工を行うのが好ましい。
【００３７】
また、他の方法としては、ＡＬＣパネル３を一枚ずつ大梁２ａや隣接するＡＬＣパネル３に密接させてビス４により小梁２ｂにビス止めした後、板材８をＡＬＣパネル３の小口面３ｅに当接させてビス９により大梁２ａに固定し、続いてコッター５の施工を行うことも出来る。
【００３８】
尚、大梁２ａ、小梁２ｂは木質性、鉄製、コンクリート製のものを用いることが出来、それ等の配置、寸法、形状等は、建築物の形状、用途、要求性能等に応じて適宜設定される。
【００３９】
また、ＡＬＣパネル３の代わりにスラブパネルとしてセメント板材、木板、金属板、プラスチック板、或いはこれらの複合材等を用いても良く、これ等は工場において生産することが容易に出来る。中でも厚さ７５〜１２５mmの内部が鉄筋で補強されたＡＬＣパネルを用いた場合には強度、遮音性、断熱性、加工性に優れ、設計自由度が高く、低価格で経済的である。
【００４０】
また、板材８の材質は合板等の木質材料、スレート板、ケイカル板等のセメント系材料、プラスチック、金属等の中から適宜選択され、該拘束部材８は少なくともＡＬＣパネル３よりも強度の高いものとし、板材８の厚さ、形状等を適宜設定することにより強い面内剪断力を受けた際に板材８及びスラブパネルとの接触面が容易に破壊することを避けるように設定することが出来る。
【００４１】
板材８と大梁２ａとの固定及びＡＬＣパネル３と小梁２ｂとの固定は、ビス止め、釘止め、接着等を用いて大梁２ａとＡＬＣパネル３との間隔の誤差に容易に対応出来る方法の中から適宜選択する。
【００４２】
スラブパネルと支持部材である小梁との固定に用いるビス、釘の径は４〜８mmが強度、施工性に優れ、好ましい。また、支持部材である小梁を木製とする場合は、該支持部材である小梁の内部に２０〜７０mm程度打ち込まれる長さとするのが好ましい。ビスと支持部材である小梁との固定は本実施形態のように直接、支持部材である小梁に固定しても良いが、支持部材である小梁に１〜４mm程度の鉄板製若しくは木製等のビス打ち用部材を設け、該ビス打ち用部材にビス打ちする方法もある。
【００４３】
また、スラブパネルと支持部材である小梁の固定にボルトを用いる場合には、該ボルトの径は６〜１２mm程度が好ましい。ボルトと支持部材である小梁の固定は、ボルトと噛み合うナット部材を支持部材である小梁に固定し、該ナット部材にボルトを固定する方法、及び支持部材である小梁自体にボルトと噛み合うネジを設ける方法等、種々の方法を用いることが出来る。
【００４４】
また、ボルト、ビス、釘ともに、その頭部の裏面に座金を挟み、ボルト、ビス、釘の頭部とスラブパネルとの間の応力伝達部分の面積を増やす方法も有効である。また、ビスを用いる方法の特殊な形態としては、図９に示して後述する第５実施形態に示すようにビスの頭部に環状部等の係止部分を形成し、該環状部に目地鉄筋等の部材を連結し、スラブパネルを支持部材である小梁に固定する方法もある。
【００４５】
次に拘束部材となる板材と梁との固定に用いるビス、釘、ボルトは径４〜１２mm程度、長さは梁に３０〜１００mm程度打ち込まれるようにするのが施工性、強度等に優れ、好ましい。また、必要に応じて梁に下穴、ナット部材等を設けて用いても良い。
【００４６】
特にＡＬＣパネル３をスラブパネルとして用いた場合に用いる釘は、ＡＬＣパネル専用のものを使うのが好ましい。中でも、打ち込んだ際に先端部が拡張するタイプの釘、若しくはエクスプレスピンと称する断面が略環状で、その断面の一部に窪みを有していたり、断面の一部が欠損し、開放断面となっているタイプの釘を用いるのが好ましい。特に打ち込んだ際に釘とＡＬＣパネル３との間に隙間が生じず、剪断力に対して優れた性能を有するものを選択するのが好ましい。
【００４７】
また、本実施形態ではＡＬＣパネル３は下寄りの位置でＡＬＣパネル３の下面に貫通し、小梁２ｂに固定されたビス４により拘束され、上寄りの位置を拘束部材８により拘束されているので応力がＡＬＣパネル３の中心部寄りに発生し、ＡＬＣパネル３の厚さ方向の中心位置近くに合力が生じるため、ＡＬＣパネル３の下寄りのみ若しくは上寄りのみで拘束した場合に比べて面内剪断耐力及び面内剪断剛性に優れている。
【００４８】
また、ＡＬＣパネル３、大梁２ａに寸法誤差や施工誤差が生じても、拘束部材となる板材８がＡＬＣパネル３の小口面３ｅに当接出来るように構成されているので誤差を吸収することが出来、施工が極めて簡単である。
【００４９】
また、乾式工法であり、且つ各部材の取付状況が施工後に確認出来、また、手直しも簡単に出来る。
【００５０】
また、ＡＬＣパネル３の上面３ｃの高さレベルを大梁２ａより高いレベル位置に設計する場合でも拘束部材となる板材８の厚さを適宜所定の値に設計することによりＡＬＣパネル３と拘束部材となる板材８との上面３ｃ，８ｂを面一に設定することが出来、これによりＡＬＣパネル３と拘束部材となる板材８の上面全体に容易に仕上げ工事をすることが出来る。
【００５１】
また、ＡＬＣパネル３の上面３ｃの高さレベルを部屋の用途、仕上げ方法等に応じて設計する場合でも支持部材となる小梁２ｂの高さレベルを調整し、拘束部材となる板材８の厚さを適宜設定することにより得ることが出来る。
【００５２】
また、簡単な施工により大梁２ａ、小梁２ｂ、ＡＬＣパネル３、拘束部材となる板材８をビス４，９により固定して一体化することが出来、面内剪断耐力及び面内剪断剛性に優れたスラブ構造Ａを得ることが出来る。
【００５３】
また、ビス４を該ＡＬＣパネルの内部に埋設された補強筋３ｂよりもパネル内側位置に配置したことで強固な固定が出来るため好ましい。
【００５４】
次に、図５を用いて本発明に係るスラブパネルの施工方法の第２実施形態について説明する。尚、前記第１実施形態と同様に構成したものは同一の符号を付して説明を省略する。
【００５５】
図５に示すように、本実施形態のスラブ構造Ｂでは、大梁２ａにビス９により一部が固定された拘束部材となる板材８がＡＬＣパネル３の端部に形成した溝３ｆに載置され、ビス22によってＡＬＣパネル３に固定されており、これによって該ＡＬＣパネル３の水平方向の位置を拘束するように構成したものである。
【００５６】
図５において、例えば、厚さ２０mm、幅２００mmの拘束部材となる板材８が大梁２ａの上面にビス９により固定され、更にＡＬＣパネル３の端部に形成された、例えば、深さ２０mm、幅８０mmの溝３ｆに拘束部材となる板材８の他端部が当接載置されてビス22と接着剤の併用により固定されており、これにより、拘束部材となる板材８はＡＬＣパネル３の水平方向の変位を拘束している。
【００５７】
また、隣接するＡＬＣパネル３相互の長辺目地部には溝３ｇが形成されており、該溝３ｇにモルタル21が充填されている。溝３ｇは、例えば、深さが４０mm、幅がＡＬＣパネル３の上面３ｃ側で両者を合わせて３０mmで下方側に向かって幅広に形成されており、溝３ｇの底部は両者を合わせて４０mmで形成されている。この溝３ｇに充填されたモルタル21は隣接するＡＬＣパネル３を面外、面内に連結すると共に遮音、耐火上の弱点となる隙間が生じることを防止している。
【００５８】
また、図示しないが、ＡＬＣパネル３相互間の長辺目地部には該ＡＬＣパネル３の長辺端部よりも内側に３００mm入った位置に外径２０〜１００mm、深さ２０〜８０mmの円柱状の穴が設けられており、該穴の内部にはモルタルが充填されて目地ずれ防止手段となるコッターを形成している。上記溝３ｇとこの穴へのモルタルの充填作業は同時に行うことが出来るので作業性が良い。他の構成は前記第１実施形態と同様に構成され、同様な効果を得ることが出来る。
【００５９】
次に、図６を用いて本発明に係るスラブパネルの施工方法の第３実施形態について説明する。尚、前記第１、第２実施形態と同様に構成したものは同一の符号を付して説明を省略する。
【００６０】
本実施形態のスラブ構造Ｃは大梁２ａの側面の所定位置に支持部材となる木製の受け材31が該受け材31の長手方向が大梁２ａの長手方向に平行に沿って所定の高さ位置に固定されており、該受け材31の上面31ａ上にＡＬＣパネル３が載置され、該ＡＬＣパネル３の上面３ｃ側から受け材31に対してビス４を打ち込んでＡＬＣパネル３を受け材31に固定し、拘束部材となるアングル材32の起立片32ａをＡＬＣパネル３の小口面３ｅに当接させて該アングル材32の水平片32ｂを大梁２ａの上面に当接してアングル材32の水平片32ｂの上面側から大梁２ａに対してビス９を打ち込んで固定したものである。
【００６１】
受け材31は、例えば、幅６０mm、高さ寸法９０mmを有して構成され、受け材31の上面31ａの高さレベルは大梁２ａの上面の高さレベルよりも９４mm低い位置に配置されている。また、ＡＬＣパネル３の上面３ｃは大梁２ａの上面よりも６mm上方に位置している。また、ＡＬＣパネル３は、長さ１８７０mm、厚さ１００mm、幅５００mmを有して構成されている。
【００６２】
また、ＡＬＣパネル３と大梁２ａとの取り合い部は、一方はＡＬＣパネル３の短辺小口面３ｅと大梁２ａの側面とが面接触しており、該大梁２ａの反対側の側面とこれに隣設されるＡＬＣパネル３の短辺小口面３ｅとの間には設計上、１０mm程度のクリアランス10を設けている。このクリアランス10によりＡＬＣパネル３、大梁２ａ及び受け材31の寸法誤差及び施工誤差を調整することが出来るようになっている。
【００６３】
大梁２ａの上面には、例えば、厚さ６mm、起立片32ａ、水平片32ｂの幅が夫々６５mmを有して構成されたアングル材32がビス９により固定されており、該アングル材32の起立片32ａがＡＬＣパネル３の短辺小口面３ｅに当接している。一本のアングル材32は複数のＡＬＣパネル３に跨がって当接しないような長さに設定されており、これによりＡＬＣパネル３の寸法誤差に対応し易くなっている。
【００６４】
また、アングル材32の長手方向の長さは複数枚のＡＬＣパネル３に跨がっても良いが、当接する１枚のＡＬＣパネル３の幅寸法よりも短くし、複数のＡＬＣパネル３に跨がらないようにすると該ＡＬＣパネル３の寸法誤差の許容範囲を大きく出来る。また、拘束部材にアングル材32を用いることにより短い拘束部材を用いても必要な接触面積を確保出来る。
【００６５】
ＡＬＣパネル３の大梁２ａとの取り合い部は、一方は該ＡＬＣパネル３が大梁２ａに直接当接しており反対側の一方は大梁２ａに固定された拘束部材であるアングル材32の起立片32ａに当接しており、これによりＡＬＣパネル３の水平方向の変位が拘束されている。
【００６６】
また、大梁２ａと直交する方向には適宜梁を設けても良く、その場合、ＡＬＣパネル３の下部に配置しても良いし、隣接するＡＬＣパネル３相互間の長辺目地間に小梁が配置できるようにＡＬＣパネル３相互の長辺間に隙間を設けて構成しても良い。
【００６７】
本実施形態では、ＡＬＣパネル３、大梁２ａに寸法誤差や施工誤差が生じても後から施工する拘束部材となるアングル材32がＡＬＣパネル３の短辺小口面３ｅに当接出来るように構成されているので極めて簡単な施工によりＡＬＣパネル３の水平方向の変位を拘束出来、安定して高い耐力、剛性を確保出来る。
【００６８】
また、ＡＬＣパネル３の長辺小口は欠け防止のため端部の面取りのみ設けて突き付け目地としても良いが、前述と同様に隣接するＡＬＣパネル３相互の長辺目地部には溝を形成し、該溝にモルタルを充填しても良い。溝は、例えば、深さが４０mm、幅がＡＬＣパネル３の上面３ｃ側で両者を合わせて３０mmで下方側に向かって幅広に形成されており、溝の底部は両者を合わせて４０mmで形成されている。この溝に充填されたモルタルは隣接するＡＬＣパネル３を面外、面内に連結すると共に遮音、耐火上の弱点となる隙間が生じることを防止する。
【００６９】
更に、ＡＬＣパネル３相互間の長辺目地部には該ＡＬＣパネル３の長辺端部よりも内側に３００mm入った位置に外径６０mm、深さ６０mmの円柱状の穴を設け、該穴の内部にはモルタルが充填されて目地ずれ防止手段となるコッターを形成しても良い。上記溝とこの穴へのモルタルの充填作業は同時に行うことが出来るので作業性が良い。他の構成は前記各実施形態と同様に構成され、同様な効果を得ることが出来る。
【００７０】
次に図７、図８を用いて本発明に係るスラブパネルの施工方法の第４実施形態について説明する。尚、前記各実施形態と同様に構成したものは同一の符号を付して説明を省略する。
【００７１】
本実施形態のスラブ構造Ｄは、図７及び図８に示すように、接着剤及びビス42，43により構造用合板41をＡＬＣパネル３及び大梁２ａに固定したものであり、これにより該ＡＬＣパネル３に面内剪断力が加わった場合にＡＬＣパネル３と構造用合板41とが互いに面外に拘束し合って座屈を防止することが出来るので面内剪断耐力及び面内剪断剛性を有効に発揮することが出来るものである。
【００７２】
図７、図８に示すように、本発明に係るスラブ構造Ｄでは、幅１２０mm、高さ２４０mmの集成材からなる木製の支持部材となる小梁２ｂが幅１２０mm、高さ１４０mmの集成材からなる木製の梁となる大梁２ａよりＡＬＣパネル３の厚さに等しい１００mm分低い位置に配置しており、ＡＬＣパネル３の上面３ｃと大梁２ａの上面とは面一に配置されている。
【００７３】
更に厚さ１２mmの構造用合板41が大梁２ａ及びＡＬＣパネル３にビス42，43及び接着剤により各々固定されている。構造用合板41とＡＬＣパネル３とを固定するビス42はＡＬＣパネル専用のもので直径８mm、長さ７０mm程度である。ビス42はＡＬＣパネル３の内部の補強筋３ｂの内側に打ち込まれているためビス42に剪断力が加わっても容易に破壊せず、剪断強度に優れる。
【００７４】
また、構造用合板41と大梁２ａとを固定するビス43は木製用で直径８mm、長さ５０mmである。また、接着剤には酢酸ビニル系のものを用いている。
【００７５】
本実施形態では一方のＡＬＣパネル３は大梁２ａの上面及びもう一方のＡＬＣパネル３に固定された構造用合板41により水平方向の変位を拘束されている。この場合、ＡＬＣパネル３の変位を拘束する構造用合板41は大梁２ａともう一方のＡＬＣパネル３の両者に固定されているため前述の各実施形態のように単に大梁２ａにのみ固定されている場合に比べ、拘束度合いが強く好ましい。
【００７６】
また、大梁２ａの両側のＡＬＣパネル３を構造用合板により連続させると、より広い範囲のＡＬＣパネル３が一体化するため、ＡＬＣパネル３を回転させるモーメントに対する抵抗力が向上し、耐力、剛性が向上し、好ましい。
【００７７】
構造用合板41とＡＬＣパネル３及び該構造用合板41と大梁２ａとの固定には釘、ビス、接着剤等による方法があるが、接着剤による接着力を用いる場合、一般に構造用合板41と大梁２ａの接着面は該構造用合板41とＡＬＣパネル３の接着面と比較して小さくなるので大きな面内剪断力が加わった場合に大梁２ａと構造用合板41との接着面との接着破壊が極端に先行することがあるが、本実施形態では大梁２ａの両側のＡＬＣパネル３が各々構造用合板41に接着剤によって固定され、互いに変位を拘束するため、大梁２ａと構造用合板41との接着面の負担応力が減少し、大梁２ａと構造用合板41との接着面の破壊が極端に先行することがなく、好ましい。
【００７８】
また、接着剤を用いる場合は、大梁２ａとＡＬＣパネル３で構成される面に若干生じる不陸（段差）を吸収出来るように例えば、酢酸ビニル系接着剤の中でも固形分比の高い材料を選択し、更に櫛目引き塗布すれば好ましい。
【００７９】
また、本実施形態では、構造用合板41は幅１０００mm、長さ２０００mmでＡＬＣパネル３と直交する方向に配置され、複数のＡＬＣパネル３に跨がって固定され、ＡＬＣパネル３の目地に跨がって固定されているため、目地の両側のＡＬＣパネル３の目地方向のずれを拘束しているため面内剪断力に対する耐力、剛性が向上し、好ましい。
【００８０】
また、スラブパネルであるＡＬＣパネル３はその製法上の特徴より、一般に長さと幅の比は、３〜５程度のものが良く用いられ、構造用合板41の長さと幅の比はその製法上の特徴より１〜４程度、中でも特に２〜３程度のものがよく用いられる。
【００８１】
ＡＬＣパネル３をスラブパネルとして用いた場合、長さと幅の比が大きいために長辺目地のずれが生じ易く、よってＡＬＣパネル３に回転が生じ易くなっていたが、パーティクルボードや構造用合板41のように長さ、幅の比が小さい面材をＡＬＣパネル３の上面３ｃに固定することによりＡＬＣパネル３の長さ、幅の比が大きい欠点を解消出来、好ましい。更にパーティクルボードや構造用合板41の長手方向とＡＬＣパネル３の長手方向とを直交させて配置すれば更に好ましい。
【００８２】
また、住宅の居室でスラブパネルであるＡＬＣパネル３の仕上げにフローリング材を釘止めするような場合、該フローリング材を直接パーティクルボードや構造用合板41に釘止めすることが出来るので施工が簡単である。
【００８３】
また、本実施形態の構造用合板41は厚さが８〜２０mm程度が好ましく、他の材料として同様の厚さのパーティクルボードも好適である。また、他の材料としては、セメント系板材、金属板、プラスチック板等で構成しても良い。
【００８４】
構造用合板とスラブパネルとの固定に用いるビス、釘、ボルトは径４〜１２mm程度、長さはスラブパネルの内部に該スラブパネルの厚さの３０〜９０％程度打ち込まれるようにするのが施工性、強度等に優れ、また、ビス等の先端部近くのＡＬＣパネル３の欠けも生じないので好ましい。また、必要に応じてスラブパネルに下穴、ナット部材等を設けて用いても良い。
【００８５】
また、上記構成によればビス４により小梁２ｂとＡＬＣパネル３の幅方向の両側とを固定したことで、小梁２ｂからＡＬＣパネル３に伝わった面内剪断力は、該ＡＬＣパネル３に面状に広がり、更にＡＬＣパネル３から構造用合板41に面から面への伝達がされるため剪断応力が面状に広がり、局所的に著しく大きな応力が働くことがない。
【００８６】
従って、面外に変形し易く局所的な大きな応力に対する抵抗力が小さい薄い構造用合板41であっても該構造用合板41の面内剪断耐力、面内剪断剛性を積極的に活かすことが出来る。また、ＡＬＣパネル３の幅方向の両側を固定したことで該ＡＬＣパネル３が回転することを防止することが出来る。
【００８７】
また、ＡＬＣパネル３をビス４により小梁２ｂに固定し、構造用合板41をビス42，43によりＡＬＣパネル３及び大梁２ａに固定して一体化したことで、スラブ構造Ｄ上面に発生した衝撃や振動を横架材２、ＡＬＣパネル３及び構造用合板41が相互に抑制し合って下階への衝撃や振動の伝達を抑えることが出来る。
【００８８】
また、構造用合板41、ＡＬＣパネル３、横架材２の順に厚みを大きく構成した場合には、振動源から発散場所に向かって順に曲げ剛性が大きくなり、衝撃や振動の抑制効果が高くなって好ましい。尚、柱１に隣接する構造用合板41には該柱１の形状に対応する切り欠き41ａが形成されて納まっている。
【００８９】
本実施形態では大梁と直交する方向に小梁を設け、該小梁をＡＬＣパネル３の略厚さ分低い位置に配置しているが、大梁と直交する方向の梁のせいも大きくする場合、その梁の上面を前記大梁の上面と同一面に配置する場合は、先に図６に示した実施形態のように一方向の梁に受け材を設け、構造用合板等の他の構成を本実施形態と同様にすれば同様の効果を得ることが出来る。
【００９０】
次に図９を用いて本発明に係るスラブパネルの施工方法の第５実施形態について説明する。尚、前記各実施形態と同様に構成したものは同一の符号を付して説明を省略する。
【００９１】
本実施形態のスラブ構造Ｅは、図５に示して前述した前記第２実施形態のスラブ構造ＢとＡＬＣパネル３を小梁２ｂに固定する固定手段が異なっている。即ち、図９に示すように、隣接するＡＬＣパネル３の長辺目地部の位置にネジ付き丸管51が小梁２ｂに対して打ち込まれ、該ネジ付き丸管51の丸管部に目地鉄筋52が挿通される。
【００９２】
その後、溝３ｆ内にモルタル21が充填されてネジ付き丸管51、目地鉄筋52及び隣接するＡＬＣパネル３の長辺目地部とが一体的に固着され、ＡＬＣパネル３を小梁２ｂに固定するようになっている。これによりＡＬＣパネル３の幅方向の両側が小梁２ｂに固定されるため該ＡＬＣパネル３が回転することを防止することが出来る。ネジ付き丸管51の丸管部は溝３ｆの内部に完全に収納される。他の構成は前記第１、第２実施形態と同様に構成され、同様な効果を得ることが出来る。
【００９３】
【発明の効果】
上記（１）、（３）の構成によれば、大梁に固定した板材或いはアングル材によりスラブパネルの水平方向の位置を拘束してスラブパネル相互の目地ずれを防止すると共にスラブパネルの寸法誤差を調整出来、しかも施工が容易である。また、該スラブパネルが保有する面内剪断耐力を安定かつ有効に機能させることが出来、これにより面内剪断耐力及び面内剪断剛性に優れたスラブ構造を得ることが出来る。
【００９４】
上記（２）、（４）の構成によれば、面材が前記梁及び前記スラブパネル上に載置され、且つ、前記梁及び前記スラブパネルに夫々固定したことによりスラブパネルの水平方向の位置を拘束してスラブパネル相互の目地ずれを防止すると共にスラブパネルの寸法誤差を調整でき、しかも施工が容易である。また、該スラブパネルが保有する面内剪断耐力を安定かつ有効に機能させることが出来、これにより面内剪断耐力及び面内剪断剛性に優れたスラブ構造を得ることが出来る。
【図面の簡単な説明】
【図１】  本発明に係るスラブパネルの施工方法の第１実施形態においてスラブパネルを支持部材に固定すると共に拘束部材をスラブパネルに当接させて梁に固定した様子を示す斜視図である。
【図２】  図１の部分拡大図である。
【図３】  第１実施形態の各部材の配置構成を示す断面説明図である。
【図４】  図３の左右方向から見た断面説明図である。
【図５】  本発明に係るスラブパネルの施工方法の第２実施形態の各部材の配置構成を示す断面説明図である。
【図６】  本発明に係るスラブパネルの施工方法の第３実施形態の各部材の配置構成を示す断面説明図である。
【図７】  本発明に係るスラブパネルの施工方法の第４実施形態の構成を示す斜視図である。
【図８】  第４実施形態の各部材の配置構成を示す断面説明図である。
【図９】  本発明に係るスラブパネルの施工方法の第５実施形態の各部材の配置構成を示す断面説明図である。
【図10】  公知例を説明する図である。
【符号の説明】
Ａ〜Ｅ…スラブ構造
１…柱
２…梁（横架材）
２ａ…大梁
２ｂ…小梁
３…ＡＬＣパネル
３ｂ…補強筋
３ｃ…上面
３ｄ…穴
３ｅ…小口面
３ｆ，３ｇ…溝
４…ビス
５…コッター
６…パーティクルボード
６ａ…切り欠き
８…板材
８ａ…側面
８ｂ…上面
９…ビス
10…クリアランス
21…モルタル
22…ビス
31…受け材
31ａ…上面
32…アングル材
32ａ…起立片
32ｂ…水平片
41…構造用合板
41ａ…切り欠き
42，43…ビス
51…ネジ付き丸管
52…目地鉄筋
【図１】
0003708712.tif 000002
【図２】
0003708712.tif 000003
【図３】
0003708712.tif 000004
【図４】
0003708712.tif 000005
【図５】
0003708712.tif 000006
【図６】
0003708712.tif 000007
【図７】
0003708712.tif 000008
【図８】
0003708712.tif 000009
【図９】
0003708712.tif 000010
【図１０】
0003708712.tif 000011